(57)【要約】【課題】上方から上下動操作を行うことができるようにした新規なジャッキ、及びそのジャッキを利用することによって、▲１▼床を張った後、即ち床パネルを敷き詰めた後でも床パネルを取り外すことなく床面の高さ調整を行うことができ、▲２▼床下に入れない程に低い床の場合でも床の高さを調整することができ、▲３▼敷地に凹凸が存在する場合であっても床面の高さ調整を容易に行うことができ、▲４▼床パネルの敷き詰め枚数を加減することによって床面の増減が自在であり、▲５▼イベント用の仮設床等に最適な組立て式床構造を提供する。【解決手段】基板上に立設されたネジ部材と、該ネジ部材に上下方向に螺動可能に取り付けられかつ側方に突設された受け部を有する受け部材と、該受け部材の上端面に設けられた操作部とからなり、該操作部を介して該受け部材を回転させることによって該受け部材を上下動させることができるようにした。【選択図】  図１
2004218276.tif 000002
【特許請求の範囲】
【請求項１】
基板上に立設されたネジ部材と、該ネジ部材に上下方向に螺動可能に取り付けられかつ側方に突設された受け部を有する受け部材と、該受け部材の上端面に設けられた操作部とからなり、該操作部を介して該受け部材を回転させることによって該受け部材を上下動させることができるようにしたことを特徴とするジャッキ。
【請求項２】
４隅の隅角部を切欠いて切欠隅角部とした床パネルの多数枚を敷き詰めて形成される組立て式床構造であって、請求項１記載の１台のジャッキの受け部に４枚の床パネルの側面が互いに相接するように該４枚の床パネルの切欠隅角部を載置し、前記操作部を介して該受け部材を上下動させることによって該受け部に載置された前記４枚の床パネルの切欠隅角部を上下動させ敷き詰められた床面の調整を行うようにしたことを特徴とする組立て式床構造。
【請求項３】
前記受け部の上面に位置するように前記受け部材に床パネルの切欠隅角部を受ける受けプレートを遊挿し、該受けプレートを介して床パネルの切欠隅角部を該受け部の上面に載置するようにしたことを特徴とする請求項２記載の組立て式床構造。
【請求項４】
前記受けプレートの上面に相対向する４本の係合ピンを突設するとともに前記床パネルの切欠隅角部に被係合部を設け、該被係合部に該係合ピンを係合させることによって該受けプレートに載置される床パネルの位置決めを行うようにしたことを特徴とする請求項３記載の組立て式床構造。
【請求項５】
前記床パネルを敷き詰めた際に１台のジャッキの受け部に載置される４枚の床パネルの切欠隅角部によって形成されかつ該ジャッキの上方に位置するジャッキ操作用空間に押え板を嵌合固定し、該ジャッキ操作用空間を閉塞するようにしたことを特徴とする請求項３又は４記載の組立て式床構造。
【発明の詳細な説明】
【０００１】
【発明の属する技術分野】
本発明は、受け部材の上下動を上方から操作できるようにした新規なジャッキ及びそのジャッキを用いた床面の調整を可能とした組立て式床構造に関する。
【０００２】
【関連技術】
従来の組立て式床又は仮設床は、サーカスなどの各種イベントを床の上で行う場合に、例えば、数日、数週間、数ヶ月等の所定期間の間だけ所定の広さの床面を張り、イベント終了後は速やかに解体されるので、多数枚の床パネルを地面等に設置された基礎上に敷き詰めることによって形成され、また敷き詰めた床パネルを取り外すことによって解体されるものである。
【０００３】
上記した組立て式床を平坦な敷地に設置する場合にはその上に設置される基礎も凹凸なく設置可能であり、凹凸のない基礎上に床パネルを敷き詰めれば平坦な床面を張ることができ、特別の問題は生じない。
【０００４】
しかし、敷地に凹凸が存在する場合には、その敷地に設置した基礎にも凹凸が発生し、そのような基礎上に床パネルを敷き詰めても床面は平坦となることはない。したがって、基礎に凹凸が生じないように敷地の凹凸にあわせて基礎を形成する必要があるが、基礎の上面を完全に面一とすることは困難である。
【０００５】
そこで、基礎の上面高さを簡単に修正することができるように、ジャッキを用いることによって基礎を構成することも考えられる。このような構成の場合にはジャッキの操作によって基礎の高さ、即ち床面の高さの調整を行うことができ便利ではある。しかし、現在公知のジャッキはいずれもジャッキの側方からジャッキの持ち上げ高さの調整を行う構造である。
【０００６】
そのため、床パネルを敷き詰めた後に床面に凹凸が存在することがわかった場合には作業者が床下に入ることができる程度に高い床の場合には作業者が床下に入ってジャッキ操作によって床高さを調整することも可能である。しかし、作業者が床下に入ることができない程に低い床の場合には作業者が床下に入ってジャッキ操作によって床高さを調整することは不可能であり、したがって床パネルを敷き詰めたままでは調整不能であり、床パネルを取り外して床下のジャッキの高さを側方から操作して調整し、再度床パネルを敷いて床面の凹凸が解消したかどうか確認する必要がある。そして、いまだ凹凸が解消しない場合には再度床パネルを取り外してジャッキ高さを側方から調整するという面倒な操作を繰り返すことになり、広い床面を張る場合などには作業が煩雑となるとともに多大な時間を要するという問題が生じていた。
【０００７】
【発明が解決しようとする課題】
本発明は、上記した問題に鑑みなされたもので、上方から上下動操作を行うことができるようにした新規なジャッキ、及びそのジャッキを利用することによって、▲１▼床を張った後、即ち床パネルを敷き詰めた後でも床パネルを取り外すことなく床面の高さ調整を行うことができ、▲２▼床下に入れない程に低い床の場合でも床の高さを調整することができ、▲３▼敷地に凹凸が存在する場合であっても床面の高さ調整を容易に行うことができ、▲４▼床パネルの敷き詰め枚数を加減することによって床面の増減が自在であり、▲５▼イベント用の仮設床等に最適な組立て式床構造を提供することを目的とする。
【０００８】
【課題を解決するための手段】
上記課題を解決するために、本発明のジャッキは、基板上に立設されたネジ部材と、該ネジ部材に上下方向に螺動可能に取り付けられかつ側方に突設された受け部を有する受け部材と、該受け部材の上端面に設けられた操作部とからなり、該操作部を介して該受け部材を回転させることによって該受け部材を上下動させることができるようにしたことを特徴とする。
【０００９】
本発明の組立て式床構造は、４隅の隅角部を切欠いて切欠隅角部とした床パネルの多数枚を敷き詰めて形成される組立て式床構造であって、請求項１記載の１台のジャッキの受け部に４枚の床パネルの側面が互いに相接するように該４枚の床パネルの切欠隅角部を載置し、前記操作部を介して該受け部材を上下動させることによって該受け部に載置された前記４枚の床パネルの切欠隅角部を上下動させ敷き詰められた床面の調整を行うようにしたことを特徴とする。
【００１０】
前記受け部の上面に位置するように前記受け部材に床パネルの切欠隅角部を受ける受けプレートを遊挿し、該受けプレートを介して床パネルの切欠隅角部を該受け部の上面に載置するようにすれば、受け部材を回転させて受け部を上下動させる場合でも受けプレートは空転して床パネルとの当接状態を円滑に維持することができ好ましい。
【００１１】
前記受けプレートの上面に相対向する４本の係合ピンを突設するとともに前記床パネルの切欠隅角部に被係合部を設け、該被係合部に該係合ピンを係合させることによって該受けプレートに載置される床パネルの位置決めを行うようにすれば、受け部材を回転させて受け部を上下動させる場合でも受けプレートは空転するとともに床パネルとの係合状態を安全に維持することができ望ましい。
【００１２】
前記床パネルを敷き詰めた際に１台のジャッキの受け部に載置される４枚の床パネルの切欠隅角部によって形成されかつ該ジャッキの上方に位置するジャッキ操作用空間に押え板を嵌合固定し、該ジャッキ操作用空間を閉塞するように床面に空隙の存在しない完全な仮設床面を形成することができる。
【００１３】
以下に本発明の実施の形態を添付図面に基づいて説明するが、図示例は例示的に示されるもので、本発明の技術思想から逸脱しない限り種々の変形が可能なことはいうまでもない。
【００１４】
図１は本発明に係るジャッキ並びにジャッキに載置されるワッシャ及び受けプレートを示す分解斜視図である。図２は図１の状態から雄ネジ部材に受け部材を螺着した状態を示す一部組立て分解斜視図である。図３は図２の状態から受け部材にワッシャを遊挿した状態を示す一部組立て分解斜視図である。図４は図３の状態から受けプレートを受け部材に遊挿した状態を示す組立て斜視図である。図５は図４の状態のジャッキ構造体の受けプレートの上面に３枚の床パネルを位置決め載置した状態を示す斜視説明図である。図６は図５の状態から１枚の床パネルを追加して４枚の床パネルを位置決め載置した状態を示す斜視説明図である。図７は図６の一部断面説明図である。図８は図６の状態から押え板を４枚の床パネルの切角隅角部の端面に当接して固定した状態を示す斜視説明図である。図９は図８の一部断面説明図である。図１０はジャッキ構造体を利用して多数枚の床パネルを敷き詰めた状態を示す上面説明図である。図１１は図１０の状態からジャッキ操作用空間に押え板を嵌合してジャッキ操作用空間を閉塞して仮設床面を形成した状態を示す上面説明図である。図１２は床パネルの摘示上面斜視図である。図１３は床パネルの摘示下面斜視図である。
【００１５】
図１〜図４において、１０は本発明に係るジャッキで、基板１２上に立設されたネジ部材、図示例では側面に雄ネジ部１４が形成された雄ネジ部材１６を有している。１８は略円筒状の受け部材で、図７及び図９に示されるごとく、その内部は中空部２０とされるとともにその下端部には上記雄ネジ部１４に対応する雌ネジ部２２が形成され、該雄ネジ部材１６に上下方向に螺動可能に取り付けられる。該受け部材１８の側面の適宜位置（図示例では下端部）には側方に突出する鍔状の受け部２４が設けられている。該受け部材１８の上面には操作部２６が設けられている。この操作部２６は受け部材１８を回転させるための操作部位となるもので、図示例では６角ナットを固着した場合が示されている。２６ａは該操作部の上面中央部に設けられたネジ孔である。なお、図１４に示すように、該受け部材１８において、鍔状の受け部２４の下方にハンドル５８を突設させておけば、取り扱いに便利となる。
【００１６】
本発明のジャッキ１０は上記した構成を有しており、図２に示したように、雄ネジ部材１６に受け部材１８を螺動可能に取り付けた状態とし、図７に示したように、例えばレンチ２８を操作部２６に装着して受け部材１８の全体を回転させると、該受け部材１８は雄ネジ部材１６に沿って上下方向に螺動する。したがって、受け部２４に持ち上げるべき床パネルＰ等を載置しておけば該受け部２４の上下動に従って該床パネルＰ等も上下動することとなり、床パネルＰ等の高さの調整を行うことが可能となる。
【００１７】
図１〜図４において、３０，３０はワッシャで、床パネルＰ等を受け部２４に載置して高さ調整を行う際に、受け部材１８に必要に応じて遊挿される（図３）。３２は受けプレートで、ワッシャ３０，３０と同様に、床パネルＰ等を受け部２４に載置して高さ調整を行う際に中央部に形成された挿通孔３４を介して受け部材１８に必要に応じて遊挿される（図４）。該受けプレート３２の上面には相対向して４本の係合ピン３６が突設されている。図４に示した状態の構造をジャッキ構造体１１として以下説明する。
【００１８】
続いて、図５〜図１２とともに上記したジャッキ１０を利用する組立て式床構造について説明する。図１１及び図１２に示されるように、本発明の組立て式床構造において用いられる床パネルＰは金属製枠体３８上に木製床板４０を設けて形成されている。該床パネルＰの４隅の隅角部は切欠かれて切欠隅角部４２が形成されている。該切欠隅角部４２において木製床板４０の切欠部は枠体３８の切欠部よりも後退して隅角段部４４となっている。該床パネルＰの裏側の切欠隅角部４２には被係合部４６が設けられており、前記した受けプレート３２に突設された係合ピン３６と係合して床パネルＰの位置決めを行うことができるようになっている。４８は床パネルＰの切欠隅角部４２に形成された係止孔で、クレーン等によって床パネルＰを吊り上げ又は吊り下げ操作を行う必要が生じた場合等にフック等を係止孔４８に挿通係止して作業を行うことができるという便利さがある。
【００１９】
上記した床パネルＰを図４に示したジャッキ構造体１１の受けプレート３２を介して連続的に載置することによって組立て式床、即ち仮設床を形成することができる。具体的には、図５に示されるごとく、ジャッキ構造体１１の受けプレート３２の４分の１部分に床パネルＰの切欠隅角部４２を載置しかつ係合ピン３６を被係合部４６に係合させることによって床パネルＰの位置決めを行う。
【００２０】
図５の図示例は、受けプレート３２に３枚の床パネルＰを載置した状態を示しているが、この状態からさらに４枚目の床パネルＰを残りの受けプレート３２の部分に載置すると、図６に示した状態となって一つのジャッキ構造体１１の受けプレート３２に４枚の床パネルＰの側面が互いに相接するように該４枚の床パネルＰの切欠隅角部４２が載置された状態となる。
【００２１】
この床パネルＰの敷き詰め作業を多数のジャッキ構造体１１を用いて同様に行うことにより、図１０に示したように一つのジャッキ構造体１１に対して４枚の床パネルＰが載置された状態で多数の床パネルＰが敷き詰められ仮設床が略形成された状態となる。
【００２２】
この状態で全体の床パネルＰの高さの具合を点検し、床面に凹凸がある場合には図６及び図７に示したようにジャッキ操作用空間５０を介して露出している操作部２６にレンチ２８を装着して受け部材１８を回転させることによって受け部２４及び受けプレート３２を上下動させ、即ち床パネルＰの切欠隅角部４２を上下動させて床パネルＰの高さ調整を行い床面の凹凸の解消作業を行う。
【００２３】
このようにして床面の凹凸が解消し全体的に平坦となった状態で、ジャッキ操作用空間５０に押え板５２を前記した隅角段部４４を介して嵌合して該ジャッキ操作用空間５０を閉塞する（図８及び図９）。この押え板５２の中央部には操作部２６のネジ孔２６ａに対応して挿通孔５４が開穿されている。該押え板５２をジャッキ操作用空間５０に嵌合した後、該挿通孔５４を介してネジ５６をネジ孔２６ａに螺着することによって該押え板５２は操作部２６に固着するとともに隅角段部４４に固定し、押圧することとなり、４枚の床パネルＰはその隅角部が強固に固定され、床構造がさらに安定したものとなる。なお、このように押え板を固定した段階でも凹凸がさらに存在することが見い出された場合にはネジ５６を抜き、押え板５２を取り外すことによって操作部２６を露出させれば何度でも簡単に床パネルＰの高さ調整を行うことが可能である。
【００２４】
上記した実施の形態では、ネジ部材１６としては雄ネジ部材を用い、受け部材１８に雌ネジ部２２を形成した例を示したが、この反対にネジ部材として雌ネジ部材を用い、受け部材１８に雄ネジ部を設ける構成とすることも可能である。
【００２５】
また、上記した実施の形態では仮設床の形成に際して本発明のジャッキを適用した例を説明したが、仮設床以外であっても側方からの操作が困難で上方からの操作が可能であるような構造に対して有効に適用できることはいうまでもない。
【００２６】
【発明の効果】
上述したごとく、本発明のジャッキは上方から上下動操作を行うことができるので側方からの操作が困難な構造に対して有効に用いることができる。本発明の組立て式床構造は、本発明のジャッキを利用しているので、▲１▼床を張った後、即ち床パネルを敷き詰めた後でも床パネルを取り外すことなく床面の高さ調整を行うことができ、▲２▼床下に入れない程に低い床の場合でも床の高さを調整することができ、▲３▼敷地に凹凸が存在する場合であっても床面の高さ調整を容易に行うことができ、▲４▼床パネルの敷き詰め枚数を加減することによって床面の増減が自在であり、▲５▼イベント用の仮設床等に最適に用いられるという大きな利点を有しており、かつ▲６▼押え板を用いる場合には床パネルを強固に固定することができるものである。
【図面の簡単な説明】
【図１】本発明に係るジャッキ並びにジャッキに載置されるワッシャ及び受けプレートを示す分解斜視図である。
【図２】図１の状態から雄ネジ部材に受け部材を螺着した状態を示す一部組立て分解斜視図である。
【図３】図２の状態から受け部材にワッシャを遊挿した状態を示す一部組立て分解斜視図である。
【図４】図３の状態から受けプレートを受け部材に遊挿した状態を示す組立て斜視図である。
【図５】図４の状態のジャッキ構造体の受けプレートの上面に３枚の床パネルを位置決め載置した状態を示す斜視説明図である。
【図６】図５の状態から１枚の床パネルを追加して４枚の床パネルを位置決め載置した状態を示す斜視説明図である。
【図７】図６の一部断面説明図である。
【図８】図６の状態から押え板を４枚の床パネルの切角隅角部の端面に当接して固定した状態を示す斜視説明図である。
【図９】図８の一部断面説明図である。
【図１０】ジャッキ構造体を利用して多数枚の床パネルを敷き詰めた状態を示す上面説明図である。
【図１１】図１０の状態からジャッキ操作用空間に押え板を嵌合してジャッキ操作用空間を閉塞して仮設床面を形成した状態を示す上面説明図である。
【図１２】床パネルの摘示上面斜視図である。
【図１３】床パネルの摘示下面斜視図である。
【図１４】受け部材の他の実施の形態を示す摘示断面説明図である。
【符号の説明】
１０：ジャッキ、１１：ジャッキ構造体、１２：基板、１４：雄ネジ部、１６：雄ネジ部材、１８：受け部材、２０：中空部、２２：雌ネジ部、２４：受け部、２６ａ：ネジ孔、２６：操作部、２８：レンチ、３０：ワッシャ、３２：受けプレート、３４：挿通孔、３６：係合ピン、３８：枠体、４０：木製床板、４２：切欠隅角部、４４：隅角段部、４６：被係合部、４８：係止孔、５０：ジャッキ操作用空間、５２：押え板、５４：挿通孔、５６：ネジ、５８：ハンドル、Ｐ：床パネル。
【図１】
2004218276.tif 000003
【図２】
2004218276.tif 000004
【図３】
2004218276.tif 000005
【図４】
2004218276.tif 000006
【図５】
2004218276.tif 000007
【図６】
2004218276.tif 000008
【図７】
2004218276.tif 000009
【図８】
2004218276.tif 000010
【図９】
2004218276.tif 000011
【図１０】
2004218276.tif 000012
【図１１】
2004218276.tif 000013
【図１２】
2004218276.tif 000014
【図１３】
2004218276.tif 000015
【図１４】
2004218276.tif 000016
【手続補正書】
【提出日】平成15年1月22日(2003.1.22)
【手続補正１】
【補正対象書類名】明細書
【補正対象項目名】００１３
【補正方法】変更
【補正の内容】
【００１３】
【発明の実施の形態】
以下に本発明の実施の形態を添付図面に基づいて説明するが、図示例は例示的に示されるもので、本発明の技術思想から逸脱しない限り種々の変形が可能なことはいうまでもない。